(57)【要約】      （修正有）【課題】取り付け及び取り外しのしやすい先行手すり用ガイドを提供する。【解決手段】先行手すり用ガイドにおいて、ガイドレール１２の外側面に形成され、ガイドレール１２が配設された支柱５７の周方向に沿って延出されるとともに横架材５６上に載置される第１の係止部材と、第１の係止部材１３の下方位置であってガイドレール１２の外側面に形成され、支柱５７の周方向に沿って延出される第２の係止部材１４と、ガイドレール１２の外側面に回動可能に軸支され、回動させることで第１の係止部材１３の先端と第２の係止部材１４の先端部分と交叉して同第１及び第２の係止部材１３，１４とともに当該支柱の全周を包囲する包囲位置を取りうるロックプレート１５とを備え、同ロックプレート１５を第１及び第２の係止部材１３，１４に対して相対的に下動させることによってロックプレート１５を包囲位置で回動不能に保持するようにした。【選択図】図５
2009084966.tif 000002
【特許請求の範囲】
【請求項１】
左右一対の縦フレームと、同両縦フレーム間に両端寄りの回り対偶によって連結された横架フレームとを基本構成として備え、同横架フレームは外筒と同外筒内に嵌挿された内筒とによって構成され前記回り対偶間における同両横架フレームの全長が伸縮可能とされている先行手すりを支柱、踏み板及び梁部材等の足場構成部材によって構築された足場に装着する際に使用される先行手すり用ガイドであって、前記支柱の外側面に沿って配置され前記先行手すりの前記縦フレームを立設状態に保持するとともに同縦フレームを上方に移動させる際の案内部材となるガイドレールを備えた前記足場に取着される先行手すり用ガイドにおいて、
前記ガイドレールの外側面に形成され、前記ガイドレールが配設された前記支柱（以下、この支柱を当該支柱とする）の周方向に沿って延出される第１の外周包囲部と前記梁部材上に載置される載置部を備えた第１の係止部材と、
同第１の係止部材の下方位置であって同ガイドレールの外側面に形成され、当該支柱の周方向に沿って延出される第２の外周包囲部を備えた第２の係止部材と、
同ガイドレールの外側面に回動可能に軸支され、回動させることで同第１及び第２の外周包囲部の先端方向部分と交叉あるいは近接して同第１及び第２の外周包囲部とともに当該支柱の全周を包囲する包囲位置を取りうる蓋部材とを備え、
同蓋部材に前記第１の係止部材、前記第２の係止部材又は前記ガイドレールから選ばれた少なくとも１つの部材に形成されたロック部材を係合させることによって同蓋部材は包囲位置において回動不能に保持されることを特徴とする先行手すり用ガイド。
【請求項２】
前記ロック部材は前記第１又は第２の係止部材の少なくとも一方に形成されていることを特徴とする請求項１に記載の先行手すり用ガイド。
【請求項３】
前記蓋部材は上下動可能に軸支されており、同蓋部材と前記第１及び第２の係止部材が交叉あるいは近接した位置において同蓋部材が上動することによって前記ロック部材との係合関係が解除されて回動可能状態となり退避位置への回動が許容され、同蓋部材が下動することによって同蓋部材と同ロック部材とが係合されて回動不能状態となるようにしたことを特徴とする請求項１又は２に記載の先行手すり用ガイド。
【請求項４】
前記ロック部材は前記第１及び第２の外周包囲部の少なくとも一方に形成された先端が上方向を向いた小フック片であり、同小フック片は前記蓋部材が包囲位置にある場合には同蓋部材に形成された透孔を通過して同蓋部材の外方に配置され、同小フック片は同蓋部材が上動することによって同蓋部材に形成された透孔の通過が許容され、同蓋部材が下動することによって同透孔の上縁と係合して同蓋部材の回動を不能とするようにしたことを特徴とする請求項３に記載の先行手すり用ガイド。
【発明の詳細な説明】
【技術分野】
【０００１】
本発明は足場構築の作業の際の安全確保のための補助をなす先行手すりを足場に配設す際に使用される先行手すり用ガイドに関するものである。
【背景技術】
【０００２】
足場の組み立ては下層から順に行われていく。この際に作業者自身が足場を拡張しようとしている上層階に先に昇って組み立て作業を行うならば未だ十分な確保手段、例えば手すりや梁が取り付けられていないため墜落のおそれがあって危険である。
そのため、作業者は安全が確保された下層階に立地し、手を上に延ばして先行手すりを上層階にセットするようにしている。先行手すりを上層階にセットした後に作業者は上層階に昇りこの先行手すりを確保手段として上層階で通常の足場を構築する。そしてその階の足場が組み上がったら先行手すりを取り外して順次上層階にセットしていくようにしている。
このような先行手すりの例として特許文献１に開示されたものがある。特許文献１の先行手すりはその図２、図３、図８及び図９に示すように手すり柱４に対して伸縮手すり５を装着することで構成されている。そして、組み立てられた先行手すりはその図１１に示すように上層階の踏み板３よりも少し下がった位置に取着された固定金具６（本発明における先行手すり用ガイドに相当）を案内部材として使用することで上方に移動させるようにしている。つまり、先行手すりの設置作業では作業者は安全な下層階位置から先行手すりの手すり柱４を押し上げて上層階に先行手すりを配置させるように行われるものである（図８の状態）。そして、先行手すりが上層階に配設された状態で作業者は初めて上層階に移動して足場用部材を使用してその階の足場を構築するようにしている。また、作業者は当該階層の足場を組み立てると次の先行手すりの配設作業に使用するためにその階では不要となった固定金具６を取り外すようにしている。
【特許文献１】特開２００１−２８８８８３号公報
【発明の開示】
【発明が解決しようとする課題】
【０００３】
上記特許文献１の先行手すり用の固定金具６はその図４（Ａ）及び（Ｂ）に示すように、Ｌ字形状のフックピン６５とＣ字形状のフック６３とによって建枠１に取着するようになっている。このような取着部材による取り付け方法は特許文献１の段落番号００１４に「建枠１に固定金具６Ａを取り付けるには、固定金具６Ａを斜め方向にしてフック６３を建枠１に掛け、フックピン６５を引き抜いた状態にし、図６に示すように、固定金具６Ａを垂直にして下側に移動させる。これにより、固定部６４が建枠１の横架材１１に掛けられる。そして、フックピン６５の取手部６５ａを上向きにして固定部６４に押し込むと、フックピン６５は建枠１の横架材１１の下側を通り、抜け止めピン６９が固定部６４の孔を通過する。続いて、フックピン６５を９０°回動して取手部６５ａを下向きにすると、抜け止めピン６９が固定部６４の外面に係止して抜けなくなる。つまり、建枠１の横架材１１を固定部６４とフックピン６５で抱持した状態になり、固定金具６Ａが建枠１から抜け落ちなくなる。」とあるようにまず下側の固定金具６Ａを斜め方向に傾けてＣ字形状のフック６３を建枠１に掛けてから上側のフックピン６５を取り付けるようにしており、取り付けにかなり熟練が必要な複雑な取り付け方法を採用している。そして、逆にこの固定金具６を取り外す際にも固定金具６Ａを斜め方向に傾けないとフック６３を建枠１から外すことができない構造となっている。
上記のように固定金具６は上層階の踏み板３よりも少し下がった位置に取着されており、固定金具６は先行手すりが配設されてから作業者がその上層階に昇って取り外すことになるのであるが、上層階に昇った際には固定金具６は作業者足下から若干下の位置にかけて配置されていることになる。そのため、作業者は低くしゃがんだ姿勢で上記のように固定金具６Ａを斜め方向に傾けるという複雑な動作をしなければならず、非常に作業性が悪かった。
本発明は、このような従来の技術に存在する問題点に着目してなされたものである。その目的とするところは、取り付け及び取り外しのしやすい先行手すり用ガイドを提供することにある。
【課題を解決するための手段】
【０００４】
上記の目的を達成するために請求項１に記載の発明では、左右一対の縦フレームと、同両縦フレーム間に両端寄りの回り対偶によって連結された横架フレームとを基本構成として備え、同横架フレームは外筒と同外筒内に嵌挿された内筒とによって構成され前記回り対偶間における同両横架フレームの全長が伸縮可能とされている先行手すりを支柱、踏み板及び梁部材等の足場構成部材によって構築された足場に装着する際に使用される先行手すり用ガイドであって、前記支柱の外側面に沿って配置され前記先行手すりの前記縦フレームを立設状態に保持するとともに同縦フレームを上方に移動させる際の案内部材となるガイドレールを備えた前記足場に取着される先行手すり用ガイドにおいて、
前記ガイドレールの外側面に形成され、前記ガイドレールが配設された前記支柱（以下、この支柱を当該支柱とする）の周方向に沿って延出される第１の外周包囲部と前記梁部材上に載置される載置部を備えた第１の係止部材と、同第１の係止部材の下方位置であって同ガイドレールの外側面に形成され、当該支柱の周方向に沿って延出される第２の外周包囲部を備えた第２の係止部材と、同ガイドレールの外側面に回動可能に軸支され、回動させることで同第１及び第２の外周包囲部の先端方向部分と交叉あるいは近接して同第１及び第２の外周包囲部とともに当該支柱の全周を包囲する包囲位置を取りうる蓋部材とを備え、同蓋部材に前記第１の係止部材、前記第２の係止部材又は前記ガイドレールから選ばれた少なくとも１つの部材に形成されたロック部材を係合させることによって同蓋部材は包囲位置において回動不能に保持されるようにしたことをその要旨とする。
また、請求項２の発明では請求項１に記載の発明の構成に加え、前記ロック部材は前記第１又は第２の係止部材の少なくとも一方に形成されるようにしたことをその要旨とする。
また、請求項３の発明では請求項１又は２に記載の発明の構成に加え、前記蓋部材は上下動可能に軸支されており、同蓋部材と前記第１及び第２の係止部材が交叉あるいは近接した位置において同蓋部材が上動することによって前記ロック部材との係合関係が解除されて回動可能状態となり退避位置への回動が許容され、同蓋部材が下動することによって同蓋部材と同ロック部材とが係合されて回動不能状態となるようにしたことをその要旨とする。
また、請求項４の発明では請求項３に記載の発明の構成に加え、前記ロック部材は前記第１及び第２の外周包囲部の少なくとも一方に形成された先端が上方向を向いた小フック片であり、同小フック片は前記蓋部材が包囲位置にある場合には同蓋部材に形成された透孔を通過して同蓋部材の外方に配置され、同小フック片は同蓋部材が上動することによって同蓋部材に形成された透孔の通過が許容され、同蓋部材が下動することによって同透孔の上縁と係合して同蓋部材の回動を不能とするようにしたことをその要旨とする。
【０００５】
このような構成の先行手すり用ガイドを足場に取り付ける際には、第１の係止部材の第１の外周包囲部を当該支柱の周方向に沿って配置させるとともに梁部材上に載置部載置させる。また、第２の係止部材についても第２の外周包囲部を当該支柱の周方向に沿って配置させる。次いで、蓋部材を回動させて第１及び第２の係止部材の先端方向部分と交叉あるいは近接させて同第１及び第２の外周包囲部とともに当該支柱の全周を包囲する包囲位置に配置する。そして、蓋部材に前記第１の係止部材、前記第２の係止部材又は前記ガイドレールから選ばれた少なくとも１つの部材に形成されたロック部材を係合させるようにする。これによって蓋部材は包囲位置において回動不能に保持されることとなる。つまり蓋部材はロック状態とされることとなる。このロック状態で先行手すり用ガイドは足場の所定位置に脱落することなく配設されたこととなる。
一方、先行手すり用ガイドを足場から取り外す際には、まず蓋部材とロック部材との係合状態を解除する（非ロック状態）。これによって蓋部材を回動させることが可能となる。そして、蓋部材を第１及び第２の係止部材とともに当該支柱を包囲している状態から退避させるように回動させ、退避後に先行手すり用ガイドを当該支柱及び梁部材から離間させる。
【０００６】
ここに、「当該支柱の周方向に沿って」とは第１及び第２の係止部材が当該支柱に必ずしも密着していることを意味してはおらず、両者間に間隙が存在していても構わない。また、先行手すり用ガイドがセット位置から脱落しなければ蓋部材と第１及び第２の係止部材の先端方向部分は当該支柱を包囲する場合に必ずしも交叉していなくとも。「近接」で構わない。
ロック部材は第１又は第２の係止部材の少なくとも一方、好ましくは両方に形成されていることがよい。また、蓋部材は上下動可能に軸支されており、蓋部材と第１及び第２の係止部材が交叉あるいは近接した位置において蓋部材が上動することによって前記ロック部材との係合関係が解除されて回動可能状態となり退避位置への回動が許容され、蓋部材が下動することによって同蓋部材と同ロック部材とが係合されて回動不能状態となるような構成が好ましい。これによって蓋部材は上下動させるという簡単な動作でロック状態と非ロック状態とすることが可能である。
また、蓋部材を上下させる場合には蓋部材に透孔を形成するとともに、ロック部材を前記第１及び第２の外周包囲部の少なくとも一方に形成された先端が上方向を向いた小フック片で構成し、蓋部材を上動する際にはその小フック片を透孔を通過させ、下動させることで透孔の縁と係合させることでロック状態とするという構成を採用することが可能である。このような構成であれば別途ロック部材によってロックしなくとも蓋部材を包囲位置に配置するだけでロック状態とすることが可能で作業の効率化を図ることができる。
尚、小フック片の先端は完全に真上を向いている必要はない。透孔の形状は小フック片が通過でき、小フック片と係合できるような構成であれば特に限定されない。
【発明の効果】
【０００７】
上記各請求項の発明では、先行手すり用ガイドに第１及び第２の係止部材と蓋部材を交叉又は近接させて同第１及び第２の外周包囲部とともに蓋部材に当該支柱の全周を包囲する包囲位置を取らせ、その蓋部材とロック部材とを係合させるようにしたため、先行手すり用ガイドを足場に着脱する際の作業性が非常に向上することとなる。
【発明を実施するための最良の形態】
【０００８】
以下、本発明の先行手すり用ガイドを具体化した実施例を図面に基づいて説明する。
図１〜図３に示すように、先行手すり用ガイド１１はすべて合金製のガイドレール１２、第１及び第２の係止部材としての上下のフック１３、１４及び蓋部材としてのロックプレート１５を基本構成として備えている。
ガイドレール１２は平面視において隅丸正方形形状の長尺の中空部材であって、前面中央に長手方向に沿ったスリット１８が形成されている。ガイドレール１２の下端寄り位置にはストッパー１９が配設されている。ストッパー１９は直方体形状の合金製の棒体であって、ガイドレール１２の下部側面に突設形成されたブラケット２０に対して回動軸２１によって回動可能に軸支されている。ガイドレール１２の下部寄り左右側面には一対の窓孔２２が形成されており、ストッパー１９は両窓孔２２の下端縁上に懸架されている。そのためストッパー１９は下方への回動が阻止されるとともに上方への回動のみが許容されることとなっている。
【０００９】
ガイドレール１２の裏面側の外側面には上側フック１３及び下側フック１４が溶着されている。上側フック１３は丸鋼を屈曲して形成された上下二段組みの構造体であって、平面視においてコ字状に構成された上側の第１水平フック片２３と、同第１水平フック片２３と平行に配置され平面視においてＬ字状に構成された下側の第２水平フック片２４と、両フック片２３，２４を連結する垂直支柱２５から構成されている。第１の外周包囲部としての第１水平フック片２３は３本の第１〜第３の屈曲部２３ａ〜２３ｃによって構成されている。水平に配置された第１の屈曲部２３ａはガイドレール１２の裏面に溶着され、第２の屈曲部２３ｂは同第１の屈曲部２３ａの先端から後方に向かって水平に延出され、載置部としての第３の屈曲部２３ｃは第２の屈曲部２３ｂの先端から直角かつ水平に側方に延出されている。第３の屈曲部２３ｃの先端は上方に屈曲されて第１の係合部２６を形成している。第１の外周包囲部としての第２水平フック片２４は直交する２本の第１及び第２の屈曲部２４ａ，２４ｂによって構成されている。第１の屈曲部２４ａの基端はガイドレール１２に裏面に溶着されて後方に向かって延出され、第２の屈曲部２３ｂは第１の屈曲部２４ａの先端から直角かつ水平に側方に延出されている。第２水平フック片２４の第１及び第２の屈曲部２４ａ，２４ｂは第１の屈曲部２３ａの第２及び第３の屈曲部２３ｂ，２３ｃと平面視において重複位置に配置されている。
第１〜第３の屈曲部２３ａ〜２３ｃによって三方から包囲された領域及びガイドレール１２の裏面と第２水平フック片２４によって三方から包囲された領域は上部支柱収容領域Ｓ１とされている。また、第１水平フック片２３の第３の屈曲部２３ｃと第２水平フック片２４の第２の屈曲部２３ｂとによって梁挟持部Ｓ２が形成されている。
【００１０】
上側フック１３の所定間隔を開けた下方位置には第２の外周包囲部としての下側フック１４が配設されている。上側フック１３も丸鋼を屈曲して形成されている。下側フック１４は前記上側フック１３の第１水平フック片２３とまったく同じ形状でかつ上下位置が異なるだけでまったく同じ向きにガイドレール１２の裏面に配設されている。つまり第１水平フック片２３と下側フック１４は平面視においては重複位置に配置されている。下側フック１４は３本の第１〜第３の屈曲部１４ａ〜１４ｃによって構成されている。水平に配置された第１の屈曲部１４ａはガイドレール１２の裏面に溶着され、第２の屈曲部１４ｂは同第１の屈曲部１４ａの先端から後方に向かって水平に延出され、第３の屈曲部１４ｃは第２の屈曲部１４ｂの先端から直角かつ水平に側方に延出されている。第３の屈曲部１４の先端は上方に屈曲されて第２の係合部２７を形成している。第１〜第３の屈曲部１４ａ〜１４ｃによって三方から包囲された領域は下部支柱収容領域Ｓ３とされている。
【００１１】
ガイドレール１２の側面には上下に所定間隔を開けて２つの軸受け筒２８が溶着されている。前記ロックプレート１５はこの軸受け筒２８に回動可能に軸支されている。
ロックプレート１５は足場側の部材との干渉を避けるために中央部が異形に切り欠かかれた変形長方形形状の板体から構成されている。ロックプレート１５の縁寄りには円柱形状の上下２本の回動軸２９が溶着されており、同回動軸２９は前記軸受け筒２８内に収容されている。従って、ロックプレート１５は回動軸２９を回動中心として揺動可能とされている。回動軸２９の長さは軸受け筒２８の高さよりも十分長いため、回動軸２９は軸受け筒２８内において上下動可能（つまりロックプレート１５が上下動可能）とされている。下側の回動軸２９には抜け止め用のピン３０が貫挿されている。
ロックプレート１５の上下寄りにはそれぞれ上下方向に長い長孔３１，３２が形成されている。上方側の長孔３１に隣接する位置には取っ手３３が溶着されている。
【００１２】
次に、先行手すりの構成について説明する。図４及び図５に示すように先行手すり３４は左右に配置された縦フレームとしての手すり柱３５と両手すり柱３５間に架設された上下二段の横架フレームとしての伸縮手すり３６を基本構成としている。図５に示すように、このような基本構成において略鳥居形状のパネル状の外形が構成されることとなる。尚、図８〜図１０に示すように当該伸縮手すり３６が架設される手すり柱３５には隣接する伸縮手すり３６も架設されることとなり、足場において先行手すりは多数の伸縮手すり３６が直列に連結されて構築されるのが一般的である。
手すり柱３５は上下３段のハンドル３７，３８，３９を備えている。上側に２段のハンドル３７，３８は伸縮手すり３６取り付け用の後方に突起する取り付けピン４０を備えている。図６に示すように取り付けピン４０の下面側にはラッチ４１が形成されている。中央のハンドル３８には持送り用フック４２が形成されている。伸縮手すり３６は外筒４３と同外筒４３に対してスライド可能に嵌挿された内筒４４から構成されている。外筒４３及び内筒４４の間には脱落防止のための図示しない係合爪が形成されている。伸縮手すり３６の両端、つまり外筒４３及び内筒４４の外端にはそれぞれヘッド部４５が形成されている。ヘッド部４５には透孔４６が形成されている。図６に示すように、伸縮手すり３６は手すり柱３５の上側の２段のハンドル３７，３８の取り付けピン４０に対してヘッド部４５の透孔４６を挿入させることで隣接する手すり柱３５間に架設されることとなる。ヘッド部４５はラッチ４１によって取り付けピン４０からの脱落が防止されるようになっている。
【００１３】
次に、このような先行手すり用ガイド１１を使用した先行手すり３４の装着工程について図７〜図１５に基づいて説明する。
図７に示すような鳥居型の建て枠５１、交叉筋交い５２及び踏み板５３を組み合わせてまず一階部分に足場５５を構築する。この地上部の足場５５を利用して２階部分に先行手すり３４を移動させる作業について説明する。
図５及び図１０（ａ）に示すように、作業者は先行手すり用ガイド１１を建て枠５１の梁部材としての横架材５６と支柱５７との交叉する位置に装着する。より具体的には図１５に示すように、建て枠５１の正面長手方向に沿った側方から（図１５の矢印方向から）当該取り付け用の横架材５６及び支柱５７に接近させていく。そして上側フック１３については上部支柱収容領域Ｓ１に支柱５７が収まり第１水平フック片２３の第３の屈曲部２３ｃが横架材５６上に載置されるようにセットする。するとちょうど横架材５６は梁挟持部Ｓ２に収まることとまる。一方、下側フック１４については下部支柱収容領域Ｓ３に支柱５７が収まることとなる。この状態では先行手すり用ガイド１１は作業者が手を離しても落ちない状態となる。この状態を本実施例では仮留め状態とする。先行手すり用ガイド１１をまずこのような仮留め状態とすると同時に下方側から先行手すり３４を構成する手すり柱３５の上端を先行手すり用ガイド１１のガイドレール１２内に挿入させておく。
【００１４】
次いで、作業者は仮留め状態にある先行手すり用ガイド１１をロックする。図１１に示すように上側及び下側フック１３，１４に対して開放された位置にある自重で下がった位置にあるロックプレート１５をまず図１２に示すように上動させる（持ち上げる）。そして持ち上げたまま回動軸２９を回動中心として上側及び下側フック１３，１４方向に回動させ図１３に示すように上側フック１３の第１の係合部２６を上方側の長孔３１を通過させるとともに下側フック１４の第２の係合部２７を下方側の長孔３２を通過させる。通過後に作業者がロックプレート１５から手を離すとロックプレート１５は自重で下動し、図１４に示すように第１の係合部２６及び第２の係合部２７はそれぞれ長孔３１，３２の上縁と係合される。この状態ではそのままロックプレート１５を開放側に回動させようとしても長孔３１，３２の上縁が第１の係合部２６及び第２の係合部２７と干渉して開放方向に回動させることはできない。この状態をロック状態とする。
【００１５】
このような先行手すり用ガイド１１の装着作業を足場５５の前面（外面）に面したすべての建て枠５１に対して行い、次いで図８に示すように隣接する手すり柱３５間に伸縮手すり３６を架設していく。そして、図９及び図１０（ｂ）に示すように作業者はハンドル３７，３８，３９を使用して手すり柱３５を上に持ち上げて、その下端をガイドレール１２内のストッパー１９を通過させストッパー１９に支持させるようにする。これによって手すり柱３５は上位置で保持されることとなる。図１０（ｂ）に示すように隣接する手すり柱３５の一方の上動に伴って伸縮手すり３６は伸長させられる。両方の手すり柱３５が上動すると伸縮手すり３６は収縮させられる。すべての手すり柱３５を上方位置に移動させることによって踏み板５３の上側に先行手すり３４がセットされることとなる。
先行手すり３４がセットされると作業者は図示しない階段を使用して踏み板５３の上に移動し、２階に位置において新たな建て枠５１、交叉筋交い５２及び踏み板５３を使用して足場を増設する。そして、新たな先行手すり用ガイド１１を２階においても上記のように装着するとともに、先に装着した先行手すり用ガイド１１を取り外すようにする。先行手すり用ガイド１１を取り外す場合は上記図１１〜図１４の逆の操作をすることとなる。尚、作業者はしゃがんだ姿勢を採るため、ロックプレート１５の取っ手３３を利用してロックプレート１５を持ち上げるように操作をすることが作業上有利である。
【００１６】
このように構成することにより本実施例は次のような効果を奏する。
（１）先行手すり用ガイド１１の装着の際には単に側方から当該取り付け用の横架材５６及び支柱５７に接近させて第１水平フック片２３の第３の屈曲部２３ｃを横架材５６上に載置させながら上側フック１３と下側フック１４内に支柱５７を収めるだけで、所定の配置位置にセットできる（仮留め）ため、複雑な取り付け方法が不要であり、作業効率がよい。
（２）先行手すり用ガイド１１を仮留めした後に、ロックプレート１５を持ち上げながら回動させ、第１の係合部２６及び第２の係合部２７に長孔３１，３２を通過させた後にロックプレート１５を離せば自重でロックされるようになっており、簡単な操作で確実に先行手すり用ガイド１１をロック状態とすることが可能である。
（３）上側フック１３は先行手すり用ガイド１１の装着状態で横架材５６が梁挟持部Ｓ２内に収まるようになっており横架材５６を上下からホールドすることとなるため先行手すり用ガイド１１に引き抜き力が働いても先行手すり用ガイド１１が装着位置から外れてしまうことがない。
【００１７】
尚、この発明は、次のように変更して具体化することも可能である。
・先行手すり用ガイド１１の形状は上記実施例に限定されることはない。例えば、ロックプレート１５の形状、長孔３１，３２の形状、取っ手３３の有無、上側及び下側フック１３，１４、ストッパ１９の形状等は変更可能である。
・先行手すり３４の形状も上記実施例に限定されることはない。
ロック手段は上記のようなロックプレート１５を上下動させるような手段以外であっても構わない。また、上記実施例ではロックプレート１５と上側及び下側フック１３，１４が交叉した状態でロックプレート１５を自重で下動させることでロック状態となるようにしていたが、自重でなく作業者の能動動作でロック状態とさせるようにしてもよい。要は蓋部材と第１及び第２の係止部材を係合させた場合に容易に係合部分が外れなければよい。
・その他、材質は不問である、部材の接合は溶接以外の手段でもよい等本発明の趣旨を逸脱しない態様で実施することは自由である。
【図面の簡単な説明】
【００１８】
【図１】本発明の実施例の先行手すり用ガイドの斜視図。
【図２】同じ先行手すり用ガイドの分解斜視図。
【図３】同じ先行手すり用ガイドであって（ａ）は平面図、（ｂ）は正面図、（ｃ）は側面図。
【図４】同じ先行手すり用ガイドに取り付けられる手すり柱の斜視図。
【図５】先行手すり用ガイド及び先行手すりを足場にセットした状態を説明する斜視図。
【図６】伸縮手すりを手すり柱に架設する作業を説明する部分拡大図。
【図７】一階部分を組み上げた足場の一例の斜視図。
【図８】図７の足場に先行手すり用ガイド及び先行手すりをセットしている作業状態を説明する説明図。
【図９】先行手すりを二階に送っている途中の作業状態を説明する説明図。
【図１０】（ａ）は足場に先行手すり用ガイド及び先行手すりをセットした状態を説明する説明図、（ｂ）は先行手すりを二階に送っている状態を説明する説明図。
【図１１】先行手すり用ガイドを足場に仮留めした状態を説明する説明図。
【図１２】足場に仮留めした先行手すり用ガイドのロックプレートを上動させた状態を説明する説明図。
【図１３】足場に仮留めした先行手すり用ガイドにおいて図１２の状態からロックプレートをロック方向に回動させた状態を説明する説明図。
【図１４】足場に仮留めした先行手すり用ガイドにおいて図１３の状態からロックプレートを下動させた状態を説明する説明図。
【図１５】先行手すり用ガイドを足場に仮留めした状態を説明する斜視図。
【符号の説明】
【００１９】
１１…先行手すり用ガイド、１２…ガイドレール、１３…第１の係止部材、１４…第２の外周包囲部としての第２の係止部材、２３ｃ…載置部としての第３の屈曲部、２３…第１の外周包囲部としての第１水平フック片、２４…第１の外周包囲部としての第２水平フック片、２６…ロック部材としての第１の係合部、２７…ロック部材としての第２の係合部、１５…蓋部材としてのロックプレート、３４…先行手すり、３５…縦フレーム、３６…横架フレームとしての伸縮手すり、５３…踏み板、５６…梁部材としての横架材、５７…支柱。
【図１】
2009084966.tif 000003
【図２】
2009084966.tif 000004
【図３】
2009084966.tif 000005
【図４】
2009084966.tif 000006
【図５】
2009084966.tif 000007
【図６】
2009084966.tif 000008
【図７】
2009084966.tif 000009
【図８】
2009084966.tif 000010
【図９】
2009084966.tif 000011
【図１０】
2009084966.tif 000012
【図１１】
2009084966.tif 000013
【図１２】
2009084966.tif 000014
【図１３】
2009084966.tif 000015
【図１４】
2009084966.tif 000016
【図１５】
2009084966.tif 000017